(57)【要約】【課題】天板の下面と側脚の上端との間の間隙を小とすることができるとともに、天板を安定よく、確実に、しかも円滑に前後方向に摺動できるように支持しうるようにした天板スライド式机を提供する。【解決手段】左右の側脚６０の上面に、上方と内方とに開口する前後方向を向く凹溝６１を設け、この凹溝６１内に、固定レール６２に対して可動レール６３が前後方向に摺動可能としたガイドレール装置６４を収容し、固定レール６２を凹溝６１の外側の側面に固着し、かつ可動レール６３に垂直の取付片６５ａを固着したブラケット６５における取付片６５ａの上端より内側方を向く水平片６５ｂを、凹溝６１より内側方に向かって延出させ、左右のブラケット６５の水平片６５ｂを天板１の下面に固着する。【選択図】  図８
2010178796.tif 000002
【特許請求の範囲】
【請求項１】
前後方向を向く左右１対の側脚同士を、左右方向を向く連結杆により連結してなる天板支持体上に、天板を前後方向に摺動可能として装着してなる天板スライド式机において、
左右の側脚の上面に、上方と内方とに開口する前後方向を向く凹溝を設け、この凹溝内に、固定レールに対して可動レールが前後方向に摺動可能としたガイドレール装置を収容し、前記固定レールを凹溝の外側の側面に固着し、かつ前記可動レールに垂直の取付片を固着したブラケットにおける前記取付片の上端より内側方を向く水平片を、前記凹溝より内側方に向かって延出させ、左右のブラケットの水平片を天板の下面に固着したことを特徴とする天板スライド式机。
【請求項２】
前後方向を向く左右１対の側脚同士を、左右方向を向く連結杆により連結してなる天板支持体上に、天板を前後方向に摺動可能として装着してなる天板スライド式机において、
左右の側脚の上面に、上方に開口する前後方向を向く凹溝を設け、この凹溝に、上片と、この上片の内側縁および外側縁から垂下する内側片および外側片とを有する前後方向を向くガイドレール受け部材を、その上部が側脚の上面より上方に突出するようにして嵌合して固着し、前記ガイドレール受け部材における上片と内側片とに、互いに連続して上方と内側方とに開口する前後方向に長い切欠きを設け、この切欠き内に、固定レールに対して可動レールが前後方向に摺動可能としたガイドレール装置を収容し、前記固定レールをガイドレール受け部材における外側片に固着し、かつ前記可動レールに垂直の取付片を固着したブラケットにおける前記取付片の上端より内側方を向く水平片を、前記切欠きより内側方に向かって延出させ、左右のブラケットの水平片を天板の下面に固着したことを特徴とする天板スライド式机。
【請求項３】
左右の側脚の前上部同士を、左右方向を向く連結杆により互いに連結し、かつ前記連結杆の上面に、ガイドローラを、左右方向を向く軸線回りに回転可能として装着し、このガイドローラをもって天板の下面を案内するようにした請求項１または２記載の天板スライド式机。
【請求項４】
天板の前後方向の移動範囲を規制する規制手段を設けるとともに、前記天板を、後限位置と中間位置とにおいて係止する係止手段を設けた請求項１〜３のいずれかに記載の天板スライド式机。
【請求項５】
左右の側脚におけるブラケットの移動範囲より前方の部分同士を、左右方向を向く連結杆をもって互いに連結した請求項１〜４のいずれかに記載の天板スライド式机。
【発明の詳細な説明】
【技術分野】
【０００１】
本発明は、天板支持体上に、天板を前後方向に摺動可能として装着してなる天板スライド式机に関する。
【背景技術】
【０００２】
従来のこの種の天板スライド式机としては、例えば、天板支持体における左右の側脚の内側面上部に、固定レールに対して可動レールが前後方向に摺動可能としたガイドレール装置における上記固定レールを固着し、上記可動レールを、天板の下面に固着したものがある(例えば、特許文献１参照)。
【０００３】
また、左右の側脚の上面に、前後方向を向く凹溝を設け、この凹溝内に上記と同様のガイドレール装置を嵌合し、その固定レールの上端に設けた水平片を、側脚の上面にねじ止めし、かつ可動レールに固着したブラケットの水平片を、側脚の上面の上方を通って内側方に延出させ、その上面に天板の下面を固着したものもある(例えば、特許文献２参照)。
【先行技術文献】
【特許文献】
【０００４】
【特許文献１】特開２００２−１６５６４８号公報
【特許文献２】特開２００４−２８３２５１号公報
【発明の概要】
【発明が解決しようとする課題】
【０００５】
しかし、特許文献１に記載されているものは、ガイドレール装置が、側脚の内側方に露呈し、見栄えが悪く、特許文献２に記載されているものは、側脚の上端と天板の下面との間に、固定レールの上端に設けた水平片の厚さと、それを側脚の上端面に固定するねじの頭部の高さとの和に相当する距離より大きい間隙を設けなければならず、しかもその水平片やねじの頭部が側方より視認されるので、やはり見栄えが悪いという問題がある。
【０００６】
また、特許文献２に記載されているものは、固定レールの上端に設けた水平片を側脚の上端面にねじ止めし、固定レールは凹溝の側面に当接させてあるだけであるので、ガイドレール装置の支持が不安定であり、ブラケットの水平片が上向きに回動したり、ガイドレール装置が凹溝内でがたつくなどのおそれがある。
【０００７】
本発明は、従来の技術が有する上記のような問題点に鑑み、天板の下面と側脚の上端との間の間隙を小とすることができるとともに、天板を安定よく、確実に、しかも円滑に前後方向に摺動できるように支持しうるようにした天板スライド式机を提供することを目的としている。
【課題を解決するための手段】
【０００８】
本発明によると、上記課題は、次のようにして解決される。
(１)  前後方向を向く左右１対の側脚同士を、左右方向を向く連結杆により連結してなる天板支持体上に、天板を前後方向に摺動可能として装着してなる天板スライド式机において、左右の側脚の上面に、上方と内方とに開口する前後方向を向く凹溝を設け、この凹溝内に、固定レールに対して可動レールが前後方向に摺動可能としたガイドレール装置を収容し、前記固定レールを凹溝の外側の側面に固着し、かつ前記可動レールに垂直の取付片を固着したブラケットにおける前記取付片の上端より内側方を向く水平片を、前記凹溝より内側方に向かって延出させ、左右のブラケットの水平片を天板の下面に固着する。
【０００９】
このような構成とすると、凹溝の内方への開口部を利用して、固定レールを凹溝の外側の側面に確実に固着することができ、天板を安定よく、確実に支持することができるとともに、ブラケットの水平片を、凹溝の内方への開口部を通して、内方に延出させることにより、天板の下面と、側脚の外側面の上端との間の間隙を、可及的に小とすることができ、見栄えをよくすることができる。
【００１０】
(２)  前後方向を向く左右１対の側脚同士を、左右方向を向く連結杆により連結してなる天板支持体上に、天板を前後方向に摺動可能として装着してなる天板スライド式机において、左右の側脚の上面に、上方に開口する前後方向を向く凹溝を設け、この凹溝に、上片と、この上片の内側縁および外側縁から垂下する内側片および外側片とを有する前後方向を向くガイドレール受け部材を、その上部が側脚の上面より上方に突出するようにして嵌合して固着し、前記ガイドレール受け部材における上片と内側片とに、互いに連続して上方と内側方とに開口する前後方向に長い切欠きを設け、この切欠き内に、固定レールに対して可動レールが前後方向に摺動可能としたガイドレール装置を収容し、前記固定レールをガイドレール受け部材における外側片に固着し、かつ前記可動レールに垂直の取付片を固着したブラケットにおける前記取付片の上端より内側方を向く水平片を、前記切欠きより内側方に向かって延出させ、左右のブラケットの水平片を天板の下面に固着する。
【００１１】
このような構成とすると、上記(１)項の解決手段と同様の効果を奏することができるととも、ガイドレール装置をガイドレール受け部材に取り付けた状態で、それらを、ともに凹溝内に嵌合し、ガイドレール受け部材を側脚に固着することにより、ガイドレール装置の組み付け作業性をより向上させることができる。
【００１２】
(３)  上記(１)または(２)項において、左右の側脚の前上部同士を、左右方向を向く連結杆により互いに連結し、かつ前記連結杆の上面に、ガイドローラを、左右方向を向く軸線回りに回転可能として装着し、このガイドローラをもって天板の下面を案内するようにする。
【００１３】
このような構成とすると、天板を、安定よく支持することができるとともに、前後方向に円滑に摺動させることができる。
【００１４】
(４)  上記(１)〜(３)項のいずれかにおいて、天板の前後方向の移動範囲を規制する規制手段を設けるとともに、前記天板を、後限位置と中間位置とにおいて係止する係止手段を設ける。
【００１５】
このような構成とすると、天板を、後限位置と中間位置とにおいて、確実に係止し、妄りに移動しないようにすることができる。
なお、天板を前限位置まで移動させたときは、天板支持体の後部に形成した機器収容空間の上面を開くことができ、その機器収容空間に収容したモニターやコンピューターの端末機器等を上方に取り出すことができる。
また、天板を中間位置まで移動し、その位置で係止手段により天板を係止することにより、機器を天板上に引き上げた状態で、機器の昇降機構や配線を、天板の後方に形成された開口を通して、機器収容空間の後部に挿通させた状態で、機器を使用することができる。ことができる。
【００１６】
(５)  上記(１)〜(４)項のいずれかにおいて、左右の側脚におけるブラケットの移動範囲より前方の部分同士を、左右方向を向く連結杆をもって互いに連結する。
【００１７】
このような構成とすると、連結杆によって、ガイドレール装置やブラケットが前方に露呈するのを防止することができ、体裁をよくすることができる。
【発明の効果】
【００１８】
本発明によると、天板の下面と側脚の上端との間の間隙を小とすることができるとともに、天板を安定よく、確実に、しかも円滑に前後方向に摺動できるように支持しうるようにした天板スライド式机を提供することができる。
【図面の簡単な説明】
【００１９】
【図１】本発明の一実施形態の外観斜視図である。
【図２】同じく平面図である。
【図３】図２のIII−III線に沿う拡大縦断正面図である。
【図４】図２のIV−IV線に沿う拡大縦断側面図である。
【図５】図２のV−V線に沿う部分拡大縦断正面図である。
【図６】ガイドレール装置の取付部分の分解斜視図である。
【図７】図２のVII−VII線に沿う部分拡大縦断側面図である。
【図８】本発明の変形例を示す、図５と同様の部分の縦断正面図である。
【発明を実施するための形態】
【００２０】
以下、本発明の第１の実施形態を、添付図面を参照して説明する。  
図１〜図４に示すように、この天板スライド式机は、横長の天板１を、その下方の天板支持体２により、前後方向に摺動可能として支持したものよりなっている。
天板支持体２は、前後方向を向き、かつ側面視ほぼコ字状をなす左右１対の側脚３、３の後端同士を、左右方向を向く幕板４をもって連結するとともに、同じく、上部の前部同士および中間部同士を、左右方向を向く前後の連結杆５、６(図２および図４参照)をもって連結することにより形成されている。
【００２１】
左右の側脚３、３間における幕板４の前方には、前面カバー７が着脱自在に装着されており、この幕板４と前面カバー７との間に、機器収容空間８が形成されている。
【００２２】
図５および図６に示すように、各側脚３の上端には、上方に開口する前後方向を向く凹溝９が設けられており、この凹溝９内には、前後方向を向くほぼ角管状のガイドレール受け部材１０が、その上部が側脚３の上面より上方に突出するようにして嵌合され、かつ底片１１が、複数の固定ねじ１２等の固着手段をもって、凹溝９の底面に固着されている。
【００２３】
ガイドレール受け部材１０は、上記底片１１と、その外側縁から起立する中空の二重壁構造をなす外側片１３と、その上端から内側方を向く上片１４と、この上片１４の内側縁から垂下する内側片１５とを備えている。
上片１４と内側片１５とには、互いに連続して上方と内側方とに開口する前後方向に長い切欠き１６が設けられている。
【００２４】
外側片１３を中空の二重壁構造とするため、ガイドレール受け部材１０における切欠き１６の前後部を除く中間部分には、補強部材１７が設けられている。この補強部材１７は、ガイドレール受け部材１０における底片１１の上面に固着されて、底片１１の一部をなす下片１７ａと、その外側縁から起立し、外側片１３の一部をなす起立片１７ｂと、起立片１７ｂの上端から外側方に向けて折曲形成され、かつ上片１４の下面に固着されて、上片１４の一部をなす上片１７ｃとを備えている。
【００２５】
ガイドレール受け部材１０の切欠き１６内には、固定レール１８に対して可動レール１９が、複数のボール２０を介して円滑に前後方向に摺動しうるようにした公知のサスペンションレールよりなるガイドレール装置２１が収容され、固定レール１８が、外側片１３の一部をなす補強部材１７の起立片１７ｂのほぼ後半部に、複数の固定ねじ２２等の固着手段をもって固着されている。
【００２６】
可動レール１９の適所には、固定レール１８をねじ止めするための作業孔２３が設けられており、この作業孔２３を通して、固定レール１８は、補強部材１７の起立片１７ｂにねじ止めされている。
【００２７】
可動レール１９の内側面には、ブラケット２４における垂直の取付片２４ａが、固定ねじ２５等の固着手段をもって固着され、ブラケット２４における取付片２４ａの上端より内方を向く水平片２４ｂは、切欠き１６より内方に向かって延出し、天板１の両側部の下面に、固定ねじ２６等の固着手段をもって固着されている。
【００２８】
因みに、組付手順としては、ガイドレール受け部材１０に、ガイドレール装置２１を装着した後、それらを一体として、側脚３の凹溝９に嵌合し、ガイドレール受け部材１０を、凹溝９の底面にねじ止めするのが好ましい。
【００２９】
天板１を、上記のようにして天板支持体２に取り付けることにより、図５に示すように、天板１とガイドレール受け部材１０の上面との間隔、すなわち天板１と天板支持体２との間隔Ｓを、天板１の前後移動時に、互いに擦れ合わない程度の微小なものとすることができるとともに、側脚３の上面よりガイドレール受け部材１０の上部が段状に突出することにより、デザイン性を高めることができる。
【００３０】
また天板１は、天板支持体２に対して、ガイドレール装置２１における可動レール１９の可動範囲である図２に想像線で示す後限位置Ａから、同じく前限位置Ｂまでの範囲を、円滑に前後方向に移動することができる。
【００３１】
天板１が後限位置Ａに位置しているときは、機器収容空間７の上端の開口は、天板１の後部により完全に閉塞され、また天板１が前限位置Ｂに位置しているときは、機器収容空間７の上端の開口は、完全に開放するようにしてある。
【００３２】
図２および図４に示すように、天板１の両側部下面には、前後方向を向く長溝２７、２７が設けられており、この長溝２７、２７に、前方の連結杆５の両側部上面に突設したピン(またはローラ)２８が嵌合することにより、天板１の前後方向の移動範囲を規制するとともに、天板１を円滑に前後移動しうるように案内している。
【００３３】
また、前方の連結杆５の両側部上面には、天板１の下面に当接して、天板１を円滑に前後移動しうるように案内する複数個のガイドローラ２９が、左右方向を向く軸３０をもって枢着されている。
【００３４】
図２および図７に示すように、前方の連結杆５における左右方向の中央部には、天板１を、後限位置Ａと、後述するように、天板１の後端が、上昇させたときの昇降支柱４３の前面に当接するか、または近接する半開位置Ｃとにおいて係止しうる係止手段３１が設けられている。
【００３５】
この係止手段３１は、連結杆５の中央部に設けた方形の開口３２に嵌着した下端が開口する方形のケース３３を備えている。
このケース３３内には、下方を向く操作レバー３４の上端部が、左右方向を向く軸３５をもって枢着され、この操作レバー３４の上端部から後方を向く作動片３４ａの後端部には、ケース３３の上壁に設けた開口３６を通って、ケース３３の上面、すなわち天板支持体２の上面より上方に向かって出没しうる角軸状の係合ピン３４ｂが一体的に設けられており、操作レバー３４の下端部を前方に回動させることにより、係合ピン３４ｂが下方に回動させられて、天板支持体の上面より下方に没入されるようになっている。
【００３６】
操作レバー３４の上端部には、作動片３４ａの基部より分岐して、後下方に延出し、先端部がケース３３の後下部における前向折曲片３３ａに圧接することにより、操作レバー３４を、係合ピン３４ｂが天板支持体２の上面より上方に突出する方向、すなわち図７における反時計方向に付勢する付勢手段をなす弾性舌片３４ｃが一体的に設けられている。
【００３７】
天板１の中央部下面には、天板１が後限位置Ａと半開位置Ｃとに位置しているときに、係合ピン３４ｂが嵌合しうるようにした前後２個の係合孔３７、３８が設けられている。
【００３８】
したがって、この係止手段３１により、天板１を、後限位置Ａと半開位置Ｃとにおいて、確実に係止し、妄りに移動しないようにすることができるとともに、操作レバー３４の下端を前方に引いて、解除操作することにより、上記係止状態を簡単に解除することができる。
【００３９】
天板支持体２における機器収容空間７には、３個の機器昇降手段３９が、左右方向に並べて配設されている。
図３および図４に示すように、各機器昇降手段３９は、平面視内向きコ字状とした上下方向を向く左右１対のガイドレール４０、４０の上端部同士および下端部同士を、横連結材４１、４１をもって連結することにより、支持フレーム４２を形成して、これを幕板４に固着し、かつ昇降支柱４３を中央に立設した横長方形枠状の昇降体４４の両側面に装着した上下１対のガイドローラ４５、４５を、左右のガイドレール４０、４０に嵌合し、昇降体４４内の両側部に取り付けた左右１対の定荷重ばね４６、４６における各帯片４７の先端部を、上方の横連結材４１に止着して、両定荷重ばね４６、４６により、昇降体４４を上方に引き上げるように付勢し、昇降支柱４３の上端部に、昇降操作用のハンドル４８を設けるとともに、昇降支柱４３の中間部に取り付けたブラケット４９に、パソコンのディスプレイ５０等の機器を、左右方向を向く軸５１をもって枢着することにより、ディスプレイ５０を上下方向に首振り可能とし、さらに、天板１を前限位置Ｂまで移動して、機器収容空間７の上端の開口を開いた状態で、ハンドル４８をもって、昇降支柱４３、およびそれに装着したディスプレイ５０を、図４に想像線で示すように、機器収容空間７内に収容された収容位置Ｄから、同じく実線で示すように、ディスプレイ５０が天板１より上方に位置する使用位置Ｅまで、昇降しうるようにしたものよりなっている。
【００４０】
定荷重ばね４６、４６の付勢力は、昇降する部分全体、すなわち昇降支柱４３、昇降体４４、ディスプレイ５０等全体の重量とバランスするように設定しておくのがよい。
【００４１】
昇降支柱４３の前面におけるディスプレイ５０より下方の位置には、半開位置Ｃに位置している天板１の上面に当接して、上昇している昇降支柱４３の下降を阻止するストッパ５２が突設されている。
【００４２】
図１に示すように、天板１の下方における左右方向の中央部には、収容ボックス５３を設け、ここに、２個のパソコン本体５４、５４を収容し、左右両側部のディスプレイ５０用のキーボード５５は、不使用時には、天板１の下方における連結杆５に固着したトレー５６に収容しうるようにしてある。
この例では、中央のディスプレイ５０にテキストを表示し、左右のディスプレイ５０とキーボード５５とを利用して、二人の生徒が学習しうるようにしてある。しかし、３個のディスプレイ５０の使用態様は、これに限るものではない。
【００４３】
この天板スライド式机は、上記のような構成としてあるので、天板１を、後限位置Ａと半開位置Ｃとにおいて、確実に係止し、妄りに移動しないようにすることができるとともに、操作レバー３４の下端を前方に引いて、係合ピン３４ｂを係合孔３７、３８から離脱させ、天板１を前限位置Ｂまで移動させた状態で、ハンドル４８をもって、昇降支柱４３と、それに装着したディスプレイ５０とを、使用位置Ｅまで真上に上昇させることができ、その後、天板１を半開位置Ｃまで戻して、係合ピン３４ｂを係合孔３８に係合させることによって、ディスプレイ５０を簡単に使用状態とすることができる。
【００４４】
このとき、半開位置Ｃに位置している天板１の上面に、ストッパ５２が当接して、上昇している昇降支柱４３、およびディスプレイ５０の下降が確実に阻止され、安全性を高めることができる。
【００４５】
この使用状態から、操作レバー３４の下端を前方に引いて、係合ピン３４ｂを係合孔３８から離脱させ、天板１を前限位置Ｂまで移動させた状態で、ハンドル４８をもって、昇降支柱４３と、それに装着したディスプレイ５０とを、収容位置Ｄまで真下に押し下げることができ、その後、天板１を後限位置Ａまで戻して、係合ピン３４ｂを係合孔３７に係合させることによって、ディスプレイ５０を簡単に収容位置Ｄに収容して、天板１を後限位置Ａで固定することができる。
なお、ディスプレイ５０が収容位置Ｄから飛び出るのを防止するための上がり止め装置が設けられている。
【００４６】
本発明は、上記実施形態のみに限定されるものではなく、幾多の変形した態様での実施が可能である。
例えば、図８に示すように、左右の側脚６０の上面に、上方と内方とに開口する前後方向を向く凹溝６１を設け、この凹溝６１内に、固定レール６２に対して可動レール６３が前後方向に摺動可能としたガイドレール装置６４を収容し、固定レール６２を凹溝６１の外側の側面に固着し、かつ可動レール６３に垂直の取付片６５ａを固着したブラケット６５における取付片６５ａの上端より内側方を向く水平片６５ｂを、凹溝６１より内側方に向かって延出させ、左右のブラケット６５の水平片６５ｂを天板１の下面に固着して実施してもよい。
【００４７】
また、係止手段３１を左右１対設けたり、その係止手段３１における操作レバー３４を天板１側に設け、係合孔３７、３８を天板支持体２側に設けたりしてもよい。
【符号の説明】
【００４８】
Ａ  後限位置
Ｂ  前限位置
Ｃ  半開位置
Ｄ  収容位置
Ｅ  使用位置
Ｓ  間隔
１  天板
２  天板支持体
３  側脚
４  幕板
５、６  連結杆
７  前面カバー
８  機器収容空間
９  凹溝
１０  ガイドレール受け部材
１１  底片
１２  固定ねじ
１３  外側片
１４  上片
１５  内側片
１６  切欠き
１７  補強部材
１７ａ下片
１７ｂ起立片
１７ｃ上片
１８  固定レール
１９  可動レール
２０  ボール
２１  ガイドレール装置
２２  固定ねじ
２３  作業孔
２４  ブラケット
２４ａ取付片
２４ｂ水平片
２５、２６  固定ねじ
２７  長溝
２８  ピン
２９  ガイドローラ
３０  軸
３１  係止手段
３２  開口
３３  ケース
３３ａ前向折曲片
３４  操作レバー
３４ａ作動片
３４ｂ係合ピン
３４ｃ弾性舌片
３５  軸
３６  開口
３７、３８  係合孔
２４  ダンパー
２５、２６  軸
３９  機器昇降手段
４０  ガイドレール
４１  横連結材
４２  支持フレーム
４３  昇降支柱
４４  昇降体
４５  ガイドローラ
４６  定荷重ばね
４７  帯片
４８  ハンドル
４９  ブラケット
５０  ディスプレイ
５１  軸
５２  ストッパ
５３  収容ボックス
５４  パソコン本体
５５  キーボード
５６  トレー
６０  側脚
６１  凹溝
６２  固定レール
６３  可動レール
６４  ガイドレール装置
６５  ブラケット
６５ａ取付片
６５ｂ水平片
【図１】
2010178796.tif 000003
【図２】
2010178796.tif 000004
【図３】
2010178796.tif 000005
【図４】
2010178796.tif 000006
【図５】
2010178796.tif 000007
【図６】
2010178796.tif 000008
【図７】
2010178796.tif 000009
【図８】
2010178796.tif 000010